(57)【要約】      （修正有）【課題】釣り針収容部からの釣り針の取り出し及び釣り針収容部のカバーのめくり上げが容易な釣り用グローブを提供する。【解決手段】釣り用グローブは、手に着用されるグローブ本体と、グローブ本体の表面に取り付け固定される釣り針収容部１０とを有する。釣り針収容部１０は、グローブ本体の表面から立ち上がるように斜めに延びる傾斜面１５ａを有する台座部１５と、台座部１５の傾斜面１５ａ上に形成されて磁力により釣り針を吸着保持する磁性領域１８とを有する。【選択図】図２
2020111842.tif 000002
【特許請求の範囲】
【請求項１】
手に着用されるグローブ本体と、該グローブ本体の表面に取り付け固定される釣り針収容部とを有する釣り用グローブであって、
前記釣り針収容部は、前記グローブ本体の表面から立ち上がるように延びる立ち上がり延在面を有する台座部と、該台座部の前記立ち上がり延在面上に形成されて磁力により釣り針を吸着保持する磁性領域とを有することを特徴とする釣り用グローブ。
【請求項２】
前記立ち上がり延在面は、前記グローブ本体の表面から斜めに立ち上がるように延びる傾斜面であることを特徴とする請求項１に記載の釣り用グローブ。
【請求項３】
前記台座部の前記磁性領域を覆う閉鎖位置と前記磁性領域を外部に露出させる開放位置との間で前記台座部に対して開閉可能なカバーを更に有することを特徴とする請求項１又は２に記載の釣り用グローブ。
【請求項４】
前記台座部は、前記グローブ本体の表面から立ち上がるように延びて前記立ち上がり延在面に接続するカバー着脱面を有し、このカバー着脱面に対して前記カバーの先端部が着脱自在に固定されることを特徴する請求項３に記載の釣り用グローブ。
【請求項５】
前記カバーの前記先端部は、指で摘むための略三角形状の摘み部を形成することを特徴する請求項４に記載の釣り用グローブ。
【請求項６】
前記台座部を形成する材料が前記カバーを形成する材料よりも硬質であることを特徴とする請求項３から５のいずれか一項に記載の釣り用グローブ。
【請求項７】
前記グローブ本体は、手の甲の部分が挿入される甲部を有し、この甲部の表面に前記釣り針収容部が取着されることを特徴とする請求項１から６のいずれか一項に記載の釣り用グローブ。
【発明の詳細な説明】
【技術分野】
【０００１】
本発明は、魚釣りの際に着用する釣り用グローブに関する。
【背景技術】
【０００２】
一般に、魚釣りの際に着用される手袋は、手の指を用いた細かい作業を要する魚釣りに適合し得るように、指が挿入される部位の全部又は指先部分がカットされた専用の釣り用グローブの形態を成す。
【０００３】
また、そのような釣り用グローブは、釣り針を収容するための収容部を備えている場合があり（例えば、特許文献１及び特許文献２参照）、そのような収容部に釣り針を収容することにより、釣り針をわざわざタックルケースから取り出す必要なく、釣り針の交換、釣り針の糸付け作業等を迅速に行なうことができる。
【０００４】
そのような釣り針収容部を備える釣り用グローブは、具体的には、例えば図１０に示されるように構成される。すなわち、手の甲の部分が挿入される釣り用グローブ１００のグローブ本体１０２の甲部１０２ａに釣り針収容部１２０が固定され、この釣り針収容部１２０は、グローブ本体１０２に例えば縫い付けられて固定される基材１２２と、基材１２２上に取着されて磁力により釣り針１３０を吸着固定するマグネットシート（磁性板）１２４と、ヒンジ部１２３を介して開閉可能な薄板状のカバー１２６とを有し、カバー１２６を開閉することによってマグネットシート１２４を露出させ又は覆うことができる。また、カバー１２６を例えば面ファスナー１４０によって基材１２２に着脱自在に固定することができ、それにより、マグネットシート１２４をカバー１２６で覆う被覆状態を保持できるようになっている。
【先行技術文献】
【特許文献】
【０００５】
【特許文献１】実開２００８−４号
【特許文献２】実用新案登録第３０１５６１９号
【発明の概要】
【発明が解決しようとする課題】
【０００６】
ところで、前述した従来の釣り針収容部１２０のマグネットシート１２４は平面状を成して延在しているため、マグネットシート１２４上の釣り針１３０を釣り針収容部１２０から取り出すためには、マグネットシート１２４を（例えば山を作るように）変形させるなどしてマグネットシート１２４ごと釣り針１３０を上方から指でつまんで釣り針１３０をマグネットシート１２４から引き離す必要があり、釣り針収容部１２０からの釣り針１３０の取り出し作業が面倒であり、取り出し難いという問題がある。
【０００７】
また、平面状のマグネットシート１２４を覆うカバー１２６も平面的に延在しているため、カバー１２６をめくり上げる作業がしづらいという問題もある。
【０００８】
本発明は、上記した問題に基づいてなされたものであり、釣り針収容部からの釣り針の取り出し及び釣り針収容部のカバーのめくり上げが容易な釣り用グローブを提供することを目的とする。
【課題を解決するための手段】
【０００９】
上記した課題を解決するために、本発明は、手に着用されるグローブ本体と、該グローブ本体の表面に取り付け固定される釣り針収容部とを有する釣り用グローブであって、前記釣り針収容部は、前記釣り針収容部は、前記グローブ本体の表面から立ち上がるように延びる立ち上がり延在面を有する台座部と、該台座部の前記立ち上がり延在面上に形成されて磁力により釣り針を吸着保持する磁性領域とを有することを特徴とする。
【００１０】
上記構成によれば、釣り針収容部が、グローブ本体の表面から立ち上がるように延びる立ち上がり延在面を有する台座部を備え、この台座部の立ち上がり延在面面上に形成される磁性領域によって釣り針が磁力により吸着保持されるようになっているため、立ち上がり延在面（磁性領域）上の釣り針に指を押し当ててそのまま立ち上がり延在面（磁性領域）に沿って釣り針を立ち上がり延在面の端部まで手前に引き寄せるように滑らせる（摺動させる）だけで釣り針をスムーズに釣り針収容部から取り出す（取り外す）ことができる。すなわち、本発明の釣り針収容部は、平面状のマグネットシートではなく、磁性領域を有する立体形状の台座部を有しているため、前述した従来技術のように釣り針を釣り針収容部から取り出すためにマグネットシートを変形させるなどしてマグネットシートごと釣り針を上方から指でつまんで釣り針をマグネットシートから引き離す必要がなく、釣り針収容部からの釣り針の取り出し作業が容易である（釣り針を取り出し易い）。
【００１１】
また、上記構成において、立ち上がり延在面は、グローブ本体の表面から斜めに立ち上がるように延びる傾斜面であることが好ましい。これによれば、釣り針を釣り針収容部から更に一層スムーズに取り出すことができる。また、上記構成において、釣り針収容部は、台座部の磁性領域を覆う閉鎖位置と磁性領域を外部に露出させる開放位置との間で台座部に対して開閉可能なカバーを更に有することが好ましい。このようなカバーを設ければ、釣り針収容部に収容される釣り針を過酷な釣り環境から保護できるとともに、釣り針収容部からの釣り針の取り出しも容易にし得る。
【００１２】
また、上記構成において、台座部は、グローブ本体の表面から立ち上がるように延びて傾斜面に接続するカバー着脱面を有し、このカバー着脱面に対してカバーの先端部が着脱自在に固定されることが好ましい。このようなカバー着脱面を設ければ、台座部の磁性領域を覆う閉鎖位置にカバーを保持することができ、また、傾斜面の端部まで滑らせて移動させてきた釣り針を指で摘む際に指を引っ掛けることができる指掛け部としてカバー着脱面を利用することもできる。
【００１３】
また、上記構成において、カバーの先端部は、指で摘むための略三角形状の摘み部を形成することが好ましい。これによれば、カバーを開放する際にカバーを摘み易くなり、カバーのめくり上げが容易になる。
【００１４】
また、上記構成では、台座部を形成する材料がカバーを形成する材料よりも硬質であることが好ましく、それにより、台座部の潰れを防止できる。
【００１５】
また、上記構成において、グローブ本体は、手の甲の部分が挿入される甲部を有し、この甲部の表面に釣り針収容部が取着されてもよい。このように甲部の表面に釣り針収容部を設ければ、実釣中における釣り針収容部に対する釣り針の出し入れが容易になる。
【発明の効果】
【００１６】
本発明によれば、釣り針収容部からの釣り針の取り出し及び釣り針収容部のカバーのめくり上げが容易な釣り用グローブが得られる。
【図面の簡単な説明】
【００１７】
【図１】本発明の一実施形態に係る釣り用グローブをその甲部側から見た平面図である。
【図２】図１の釣り用グローブに設けられる釣り針収容部を単体で示すカバー開放時の拡大斜視図である。
【図３】釣り針収容部を単体で示すカバー閉鎖時の拡大斜視図である。
【図４】釣り針収容部のカバーをめくり上げて台座部の磁性領域を部分的に露出させている状態を示す斜視図である。
【図５】釣り針収容部のカバーをめくり上げて台座部の磁性領域から釣り針を指で取り出している状態を示す斜視図である。
【図６】釣り針収容部を単体で示す側断面図である。
【図７】釣り針収容部の第１の変形例を示す側面図である。
【図８】釣り針収容部の第２の変形例を示す側断面図である。
【図９】（ａ）は釣り針収容部の第３の変形例を示す側断面図、（ｂ）は釣り針収容部の第４の変形例を示す側断面図である。
【図１０】釣り針収容部を有する従来の釣り用グローブをその甲部側から見た平面図である。
【発明を実施するための形態】
【００１８】
以下、添付図面を参照しながら、本発明に係る釣り用グローブの一実施形態について具体的に説明する。
図１に示されるように、本実施形態の釣り用グローブ１は、釣り人の手に着用される袋状のグローブ本体２と、グローブ本体２の表面に取り付け固定される釣り針収容部１０とを有する。なお、図１のグローブ１は左手用であり、右手用のグローブは、この左手用のグローブ１の形状を左右反転させた形状を成す。
【００１９】
グローブ本体２は、例えば天然皮革、ナイロン、ポリウレタン、ネオプレンゴム等によって形成されており、手の甲の部分に当て付けられる甲部２ａと、この甲部２ａの反対側に位置して手の掌の部分に当て付けられる図示しない掌部と、親指が挿通される袋状の親指挿通部２ｂと、人差し指が挿通される袋状の人差し指挿通部２ｃと、中指が挿通される袋状の中指挿通部２ｄと、薬指が挿通される袋状の薬指挿通部２ｅと、小指が挿通される袋状の小指挿通部２ｆとによって構成される。また、グローブ本体２は、手首側に位置する開口部２ｇを有しており、この開口部２ｇから各指挿通部２ｂ〜２ｆの先端開口に至るまで全体にわたって連通している。なお、本実施形態において、各指挿通部２ｂ〜２ｆは、挿通される全ての指先が裸出するように先端側部分が部分的にカットされているが、薬指及び小指の指先が裸出されることなく親指、人差し指、及び、中指の指先だけが裸出されるように形成されてもよい。
【００２０】
釣り針収容部１０は、図２〜図６に明確に示されるように、グローブ本体２の甲部２ａの表面に取着される基材１２と、基材１２（グローブ本体２の表面）から立ち上がるように斜めに延びる立ち上がり延在面としての傾斜面１５ａを有する台座部１５と、台座部１５の傾斜面１５ａ上に形成されて磁力により釣り針５０を吸着保持する磁性領域（例えば、傾斜面上に貼り付けられるマグネットシートなど）１８とを有する。この場合、台座部１５は、図１に示されるように、小指挿通部２ｆ側から親指挿通部２ｂ側へ向かって斜め下方に延在しており、親指挿通部２ｂ側へ向けて先細るように立ち上がっている。したがって、傾斜面１５ａも、小指挿通部２ｆ側から親指挿通部２ｂ側へ向かって斜めに立ち上がるように先細っている。
【００２１】
また、釣り針収容部１０は、磁性領域１８を覆う閉鎖位置と磁性領域１８を外部に露出させる開放位置との間で台座部１５に対して開閉可能なカバー２０を更に有する。このカバー２０は、小指挿通部２ｆ側に位置されるその基端縁が、グローブ本体２を構成する基材に例えば糸により縫い付けられ或いは釣り針収容部１０の基材１２に固着されており、その縫い付け部又は固着部をヒンジ部３０として開閉することができる。
【００２２】
また、本実施形態において、台座部１５は、基材１２（グローブ本体２の表面）から立ち上がるように延びて傾斜面１５ａに接続するカバー着脱面１５ｂを親指挿通部２ｂ側に有しており、このカバー着脱面１５ｂにはカバー２０の先端部２０ａが着脱自在に固定されるようになっている。そのような着脱自在な固定は、本実施形態では、面ファスナー４０によって実現される。この面ファスナー４０はフックテープ４０ａとループテープ４０ｂとによって構成され、本実施形態では、フックテープ４０ａがカバー２０の先端部２０ａの裏面に設けられ、ループテープ４０ｂがカバー着脱面１５ｂの表面に設けられるが、これと逆の配置であっても構わない。また、着脱自在な固定が面ファスナー以外によって実現されてもよい。なお、カバー着脱面１５ｂに着脱自在に固定されるカバー２０の先端部２０ａは、本実施形態では、指で摘み易いように（片手の指を引っ掛けるだけでカバー２０をめくり上げられるように）略三角形状の摘み部として形成される
【００２３】
また、本実施形態において、台座部１５を形成する材料は、カバー２０を形成する材料よりも硬質となっている。具体的には、台座部１５（及び／又は基材１２）がポリ塩化ビニル（ＰＶＣ）等によって形成され、カバー２０がＰＶＣ等によって形成される。
なお、本実施形態では、手の（甲の）動きに追従して釣り針収容部１０が変形できるように、例えば、釣り針収容部１０の底部を網目状にしてもよく、または、手の甲の幅方向に延びる複数の溝を釣り針収容部１０の底部に形成してもよく、或いはさもなければ、釣り針収容部１０の底部に弾性材を配してもよい。
【００２４】
以上のような構成の釣り針収容部１０では、収容した釣り針５０を以下のようにして取り出すことができる。なお、ここでは、図１とは逆の右手用の釣り用グローブ１の釣り針収容部１０から釣り針５０を取り出す場合について説明する。
【００２５】
まず、カバー２０が閉鎖位置に位置された図３に示される状態から、図４に示されるように左手の例えば親指Ｆ１をカバー２０の先端部２０ａに引っ掛けてカバー２０をめくり上げ、それにより、磁性領域１８及びそれに吸着保持された釣り針５０を露出させる。その後、この状態から、図５に示されるように左手の中指Ｆ３でカバー２０を開放状態に保持しつつ、傾斜面１５ａ（磁性領域１８）上の釣り針５０に左手の人差し指Ｆ２を押し当ててそのまま傾斜面１５ａ（磁性領域１８）に沿って釣り針５０を傾斜面１５ａの端部（親指挿通部２ｂ側の端部）まで手前に引き寄せるように滑らせる（摺動させる）。そして、傾斜面１５ａの端部で、左手の親指Ｆ１をカバー着脱面１５ｂに引っ掛けるようにして中指Ｆ３と親指Ｆ１とにより釣り針５０を摘んで、釣り針５０を釣り針収容部１０から取り出す（取り外す）。
【００２６】
以上説明したように、本実施形態によれば、釣り針収容部１０が、グローブ本体２の表面から立ち上がるように斜めに延びる傾斜面１５ａを有する台座部１５を備え、この台座部１５の傾斜面１５ａ上に形成される磁性領域１８によって釣り針５０が磁力により吸着保持されるようになっているため、傾斜面１５ａ（磁性領域１８）上の釣り針５０に指を押し当ててそのまま傾斜面１５ａ（磁性領域１８）に沿って釣り針５０を傾斜面１５ａの端部まで手前に引き寄せるように滑らせる（摺動させる）だけで釣り針５０をスムーズに釣り針収容部１０から取り出す（取り外す）ことができる。すなわち、本実施形態の釣り針収容部１０は、平面状のマグネットシートではなく、磁性領域１８を有する立体形状の台座部１５を有しているため、前述した従来技術のように釣り針を釣り針収容部から取り出すためにマグネットシートを変形させるなどしてマグネットシートごと釣り針を上方から指でつまんで釣り針をマグネットシートから引き離す必要がなく、釣り針収容部からの釣り針の取り出し作業が容易である（釣り針を取り出し易い）。
【００２７】
また、本実施形態において、釣り針収容部１０は、台座部１５の磁性領域１８を覆う閉鎖位置と磁性領域１８を外部に露出させる開放位置との間で台座部１５に対して開閉可能なカバー２０を有しているため、釣り針収容部１０に収容される釣り針５０をカバー２０によって過酷な釣り環境から保護できるとともに、釣り針収容部１０からの釣り針５０の取り出しも容易にし得る。
【００２８】
また、本実施形態において、台座部１５は、グローブ本体２の表面から立ち上がるように延びて傾斜面１５ａに接続するカバー着脱面１５ｂを有し、このカバー着脱面１５ｂに対してカバー２０の先端部２０ａが着脱自在に固定されるため、台座部１５の磁性領域１８を覆う閉鎖位置にカバー２０を保持することができ、また、傾斜面１５ａの端部まで滑らせて移動させてきた釣り針５０を指で摘む際に指を引っ掛けることができる指掛け部としてカバー着脱面１５ｂを利用することもできる。
【００２９】
また、本実施形態において、カバー２０の先端部２０ａは、指で摘むための略三角形状の摘み部を形成しているため、カバー２０を開放する際にカバー２０を摘み易くなり、カバー２０のめくり上げが容易になる。
【００３０】
また、本実施形態では、台座部１５を形成する材料がカバー２０を形成する材料よりも硬質であるため、台座部１５の潰れを防止できる。
【００３１】
以上、添付図面に関連して本発明の実施形態を説明してきたが、本発明は、前述した実施形態に限定されず、その要旨を逸脱しない範囲で種々変形して実施できる。例えば、前述した実施形態では、釣り針収容部１０が基材１２を有していたが、基材１２がなくても構わない。その場合には、台座部１５がグローブ本体２に対して直接に取着される。また、前述した実施形態では、傾斜面１５ａが小指挿通部２ｆ側から親指挿通部２ｂ側へ向かって立ち上がっていたが、傾斜面１５ａの立ち上がり方向は釣り針を容易に取り出すことができればどのような方向であっても構わない。
【００３２】
また、前述した実施形態では、傾斜面１５ａの傾斜角度が固定されていたが、傾斜面１５ａの傾斜角度を変えることができるようになっていてもよい。例えば、図７に示されるように、磁性領域１８を表面に有する平板状の台座部１５Ａが回動支点７０を中心に回動可能に基材１２に取り付けられ、基材１２と台座部１５Ａとの間に介在する昇降機構（例えばネジ部材同士の螺合によって構成されてもよい）７４によって基材１２に対する台座部１５Ａの傾斜角度を変えられるように釣り針収容部１０Ａが構成されてもよい。また、この場合、基材１２に設けられる回動式の調整摘み７２を回すことによって昇降機構７４が動作して台座部１５Ａが傾動してもよい。
【００３３】
また、前述した実施形態では、立ち上がり延在面が傾斜面１５ａであったが、立ち上がり延在面は、傾斜を伴って又は伴うことなく段差を有する延在面であってもよい。一例として、図８に示される釣り針収容部１０Ｂでは、台座部１５Ｂの立ち上がり延在面が、第１の水平面１５ｃと、この第１の水平面１５ｃから段差７３を介して第１の水平面１５よりも一段高い位置で延びる第２の水平面又は傾斜面１５ｄとによって構成される。また、立ち上がり延在面は、段差や傾斜面を伴うことなくグローブ本体の表面よりも一段高い位置で延在する単なる平坦面であっても構わない。そのような一例として、図９の（ａ）に示される釣り針収容部１０Ｃは、グローブ本体の表面（したがって基材１２）よりも一段高い位置で延在する、すなわち、グローブ本体の表面から立ち上がるように延びる平坦面（立ち上がり延在面）１５ｅを有する台座部１５Ｃと、該台座部１５Ｃの平坦面１５ｅ上に形成されて磁力により釣り針を吸着保持する磁性領域１８とを有する。図８及び図９の（ａ）のいずれの形態であっても、面１５ｄ又は面１５ｅの端部まで釣り針を手前に引き寄せるように滑らせるだけで端部から突出する釣り針の部位を指で摘むことにより釣り針をスムーズに釣り針収容部１０Ｂ，１０Ｃから取り出すことができる。また、図９の（ａ）に示される釣り針収容部１０Ｃの変形例として、図９の（ｂ）に示される釣り針収容部１０Ｄは、平坦面１５ｅの一部に凹部（台座１５Ｃに設けられる凹陥溝）８２を有する。このような形態によれば、釣り針を手前に引き寄せるように滑らせて凹部８２を跨ぐように位置させれば、跨いだ釣り針の部位が凹部８２により浮いた状態となるため、凹部８２に指を挿入して釣り針を摘めば、そのまま釣り針を釣り針収容部１０Ｄから取り出すことができる。
【符号の説明】
【００３４】
１  釣り用グローブ
２  グローブ本体
２ａ  甲部
１０，１０Ａ，１０Ｂ，１０Ｃ，１０Ｄ  釣り針収容部
１５，１５Ａ、１５Ｂ，１５Ｃ  台座部
１５ａ  傾斜面（立ち上がり延在面）
１５ｂ  カバー着脱面
１５ｃ，１５ｄ，１５ｅ  立ち上がり延在面
１８  磁性領域
２０  カバー
２０ａ  先端部
【図１】
2020111842.tif 000003
【図２】
2020111842.tif 000004
【図３】
2020111842.tif 000005
【図４】
2020111842.tif 000006
【図５】
2020111842.tif 000007
【図６】
2020111842.tif 000008
【図７】
2020111842.tif 000009
【図８】
2020111842.tif 000010
【図９】
2020111842.tif 000011
【図１０】
2020111842.tif 000012